(57)【要約】【課題】枠を設けた、複数のハリスに釣針を取り付けた釣り仕掛けにおいて、ハリスや釣針が枠や糸に絡まりにくくする。【解決手段】枠に複数の突起物を取り付け、それぞれの突起物に釣針付きのハリスを取り付ける。【選択図】  図１
2004357672.tif 000002
【特許請求の範囲】
【請求項１】
多角形もしくは円形の枠に、複数の突起物を取り付け、それぞれの突起物に釣針付きのハリスを取り付け、また、枠に道糸とつながる糸を取り付けた、複数のハリスに釣針を取り付けた釣り仕掛け。
【発明の詳細な説明】
【０００１】
【発明の属する技術分野】
この発明は、複数のハリスに釣針を取り付けた釣り仕掛けに関するものである。
【０００２】
【従来の技術】
複数のハリスに釣針を取り付けた釣り仕掛けにおいて、糸ではない多角形もしくは円形の枠に、その枠を地面に水平にしたとき、その枠の下部に、複数のハリスを間隔をおいて取り付け固定させ、それぞれのハリスの先端に釣針を取り付け、また、その枠の上部に道糸とつながる糸を取り付けたもの、及び、穴のあいた板に、その板を地面に水平にしたとき、その板の下部に、複数のハリスを間隔をおいて取り付け固定させ、それぞれのハリスの先端に釣針を取り付け、また、その板の上部に道糸とつながる糸を取り付けたものは、すでに出願済みである。
（出願番号  特願２００２−１６０７３２及び特願２００１−１７４８０５）
【０００３】
【発明が解決しようとする課題】
これらは次のような欠点があった。
イ．水中で、ハリスや釣針が上下運動をした際、ハリスや釣針が枠もしくは、道糸とつながる糸に絡まることが多かった。こうなると、魚がほとんど掛からない為、絡まったハリスや釣針を元の状態に戻し、再び釣りの動作に入らなければならなかった。
本発明は、以上の欠点を解決する為になされたものである。
【０００４】
【課題を解決するための手段】
すでに出願済みの釣り仕掛け（出願番号  特願２００２−１６０７３２  及び特願２００１−１７４８０５）は「図２」のように、枠に直接、ハリスを取り付けていた。
イ．出願番号  特願２００２−１６０７３２及び特願２００１−１７４８０５は枠に直接、ハリスを取り付けていた為、水中でハリスや釣針が上下運動をした際、ハリスや釣針が、枠もしくは道糸とつながる糸に絡まることが多かった。こうなると魚がほとんど釣れない為、絡まったハリスや釣針を元の状態に戻し、再び釣りの動作に入らなければならなかった。
しかし本発明では、例えば「図１」は正三角形の枠（１）に３つの突起物（６）を取り付け、それぞれの突起物（６）の先端に釣針（３）付きのハリス（２）を取り付け、また、枠（１）に、道糸とつながる糸（５）を取り付けたものである。さらに突起物（６）は、枠（１）に対し垂直に取り付けたものと仮定し、またハリス（２）の長さに釣針（３）の長さを加えた長さを、突起物（６）の長さより短くしたと仮定すれば、釣針（３）は上下運動をしても、枠（１）に接触することは無い。また水中で、道糸とつながる糸（５）が枠（１）の上部にある限り、釣針（３）が上下運動をしても、釣針（３）が道糸とつながる糸（５）に接触することは無い。
【０００５】
【発明の実施の形態】
以下、本発明の実施の形態を説明する。
「図１」は本発明の実施例を示す斜視図である。「図１」は、正三角形の枠（１）に、３つの突起物（６）を取り付けてある。そして、それぞれの突起物（６）には、釣針（３）付きのハリス（２）を取り付けてある。また、正三角形の枠（１）に道糸とつながる糸（５）を取り付けてある。さらに、オモリ（７）とかサルカン（８）等を使用すれば、道糸（４）と容易につながる構造となる。
「図１」において、突起物（６）は、枠（１）に対し、垂直に取り付けたものと仮定し、また、ハリス（２）の長さに釣針（３）の長さを加えた長さを、突起物（６）の長さより短くしたと仮定すれば、釣針（３）は上下運動をしても枠（１）に接触することは無い。また、水中で、道糸とつながる糸（５）が枠（１）の上部にある限り、釣針（３）が上下運動をしても、釣針（３）が道糸とつながる糸（５）に接触することは無い。このように、突起物（６）を設けることにより、釣針（３）が枠（１）や道糸とつながる糸（５）に絡まることを防ぐことができる。尚、釣針（３）が枠（１）や道糸とつながる糸（５）に絡まると、魚はほとんど釣れない結果となる。
尚、「図１」において、例えば、突起物（６）の先端部分に穴をあければ、ハリス（２）を突起物（６）に容易に固定できることになる。
「図３」も、本発明の実施例を示す斜視図である。
「図３」は、正三角形の枠（１）に６つの突起物（６）を取り付け、それぞれの突起物（６）の付け根に釣針（３）付きのハリス（２）を取り付け、また枠（１）に、道糸とつながる糸（５）を取り付けたものである。
本発明の実施例である「図３」の作成方法について述べる。
「図４」のように、１本の針金（１０）を用意し、針金（１０）に６つのゴム管（１１）を差し込み、針金（１０）を折り曲げていく。その後、正三角形作成の為の折り曲げ箇所（１２）を折り曲げ、正三角形を作る。そして、両端にある、むき出しとなっている針金部分を合わせ、ペンチ等でねじれば、正三角形の枠が完成する。また、ゴム管（１１）を通していない、Ｖの字形になっている針金のむき出し部分をペンチ等でつぶし、Ｖの字形をＩの字形になるようにする。このＩの字形の部分が突起物となるわけである。その後  Ｉの字形となった突起物に、突起物用ゴム管（１３）を差し込み、また同時に釣針付きのハリスを、突起物用ゴム管（１３）に通す。そして、突起物の付け根に釣針付きのハリスを取り付け固定すればよい。そして、枠に、道糸とつながる糸を取り付ければ、本発明の実施例である「図３」は完成する。「図４」では、６つのゴム管（１１）を針金（１０）に差し込んだ図を書いているが、これは、枠をより頑丈な物にするため、また、ゴム管とゴム管のすき間に、ハリスの結び目を作れば、ハリスの結び目が固定できる為であり、元々  針金が頑丈であり、また、ハリスが動かないよう固定してハリスを取り付けられるようであれば、あえて「図４」で記載した６つのゴム管は使用する必要がない。しかし、突起物には、ゴム管を差し込む必要がある。これは、ハリスもゴム管に通すことにより、ゴム管の中にあるハリス部分は上下運動をすることがなく、これにより、釣針やハリスが、枠や道糸とつながる糸に絡まることを防ぐことができるからである。
また、当然のことながら、「図１」の枠（１）及び突起物（６）を作成するには、「図５」を使用すればよい。
尚、本発明において、枠は正三角形に限らず、「請求項１」に述べているように、多角形もしくは円形であり、また、突起物の個数や長さは自由である。また、突起物は枠に対して、垂直に取り付けてもよいし、そうでなくてもよい。
尚、本発明を使用する場合、枠が、水中で水面と平行になることが好ましい。
【０００６】
【発明の効果】
枠を設けた、複数のハリスに釣針を取り付けた釣り仕掛けにおいて、ハリスや釣針が枠や糸に絡まりにくくする。
【図面の簡単な説明】
【図１】本発明の斜視図
【図２】すでに出願済みの釣り仕掛け
【図３】本発明の斜視図
【図４】「図３」の作成方法を示した図
【図５】「図１」の作成方法を示した図
【符号の説明】
１    枠
２    ハリス
３    釣針
４    道糸
５    道糸とつながる糸
６    突起物
７    オモリ
８    サルカン
９    道糸とつながる糸をたばねた部分
１０  針金
１１  ゴム管
１２  正三角形作成の為の折り曲げ箇所
１３  突起物用ゴム管
【図１】
2004357672.tif 000003
【図２】
2004357672.tif 000004
【図３】
2004357672.tif 000005
【図４】
2004357672.tif 000006
【図５】
2004357672.tif 000007